(57)【要約】【課題】使用される状況に関わらずユーザが選択するコンテンツを効率的に表示する携帯端末、コンテンツ表示方法、及びプログラムを提供する。【解決手段】情報取得部１２はユーザの現在地及び移動情報を取得する。コンテンツ記憶部１３は現在地及び移動情報とユーザが選択すると予想されるコンテンツとが関連づけられたテーブルを記憶する。コンテンツ選択部１４はテーブルを参照して、情報取得部１２によって取得された現在地及び移動情報に対応するコンテンツを選択する。使用状態検出部１５は携帯端末１が使用状態となったことを検出する。使用状態検出部１５によって携帯端末１が使用状態となったことが検出された場合、表示部１７はコンテンツ選択部１４によって選択されたコンテンツを表示する。【選択図】図２
2012105120.tif 000002
【特許請求の範囲】
【請求項１】
ユーザの位置情報及び前記ユーザの移動情報を取得する情報取得部と、
前記位置情報及び前記移動情報とユーザが選択すると予想されるコンテンツとが関連づけられたテーブルを記憶する記憶部と、
前記テーブルを参照して、前記情報取得部によって取得された前記位置情報及び前記移動情報に対応するコンテンツを選択するコンテンツ選択部と、
自機が使用状態となったことを検出する使用状態検出部と、
前記使用状態検出部によって自機が使用状態となったことが検出された場合、前記コンテンツ選択部によって選択された前記コンテンツを表示する表示部と、
を備える携帯端末。
【請求項２】
前記使用状態検出部によって自機が使用状態となったことが検出された場合、前記コンテンツ選択部によって選択された前記コンテンツを起動する起動部をさらに備え、
前記表示部は、
前記コンテンツに加え、前記起動部によって起動されたコンテンツに関する画面を表示する、
ことを特徴とする請求項１に記載の携帯端末。
【請求項３】
前記使用状態検出部は、
自機のスリープ状態が解除されたことを検出する、
ことを特徴とする請求項１又は２に記載の携帯端末。
【請求項４】
前記情報取得部は、
加速度を取得する加速度センサを備え、
前記加速度センサの出力に基づいてユーザが移動しているか否かを示す情報を取得する、
ことを特徴とする請求項１乃至３のいずれか一項に記載の携帯端末。
【請求項５】
前記情報取得部は、
前記位置情報を取得するＧＰＳ(Global Positioning System）機能を備え、ＧＰＳ衛星から提供される位置に関する情報に基づいて、前記ユーザの位置情報を取得する、
ことを特徴とする請求項１乃至４のいずれか一項に記載の携帯端末。
【請求項６】
前記情報取得部は、
自機との通信を行う基地局から送信される位置に関する情報に基づいて、前記ユーザの位置情報を取得する、
ことを特徴とする請求項１乃至４のいずれか一項に記載の携帯端末。
【請求項７】
ユーザの位置情報及び前記ユーザの移動情報を取得する情報取得工程と、
前記位置情報及び前記移動情報とユーザが選択すると予想されるコンテンツとが関連づけられたテーブルを記憶するコンテンツ記憶工程と、
前記テーブルを参照して、前記情報取得工程によって取得された前記位置情報及び前記移動情報に対応するコンテンツを選択するコンテンツ選択工程と、
自機が使用状態となったことを検出する使用状態検出工程と、
前記使用状態検出工程によって自機が使用状態となった場合、前記コンテンツ選択工程によって選択された前記コンテンツを表示する表示工程と、
を備えるコンテンツ表示方法。
【請求項８】
コンピュータを、
ユーザの位置情報及び前記ユーザの移動情報を取得する情報取得部、
前記位置情報及び前記移動情報とユーザが選択すると予想されるコンテンツとが関連づけられたテーブルを参照して、前記情報取得部によって取得された前記位置情報及び前記移動情報に対応するコンテンツを選択するコンテンツ選択部、
自機が使用状態となったことを検出する使用状態検出部、
前記使用状態検出部によって自機が使用状態となった場合、前記コンテンツ選択部によって選択された前記コンテンツを表示する表示部、
として機能させるプログラム。
【発明の詳細な説明】
【技術分野】
【０００１】
本発明はコンテンツを表示する携帯端末、コンテンツ表示方法及びプログラムに関する。
【背景技術】
【０００２】
携帯端末の多機能化に伴い、アプリケーション等のコンテンツが増加している。このため、ユーザがコンテンツを使用する場合、携帯端末を操作して、多数のコンテンツの中からユーザが選択するコンテンツを探し出さなければならない。
【０００３】
そこで、メニュー項目（コンテンツ）のリストの中からメニュー項目を選択する際に、ユーザの位置等と選択されたメニュー項目とを対応付けて記憶しておき、ユーザが新たにメニュー項目を選択する際に、過去にその位置でユーザによって高い頻度で選択されているメニュー項目を優先的に表示する小型電子機器が開示されている（例えば、特許文献１参照）。このようにすれば、ユーザがメニュー項目を探し出す手間を軽減することができる。
【先行技術文献】
【特許文献】
【０００４】
【特許文献１】特開２００８−１０２８６０号公報
【発明の概要】
【発明が解決しようとする課題】
【０００５】
しかし、特許文献１に開示された小型電子機器では、初めて訪れた場所等においてはメニュー項目との対応付けが行われていないので、メニュー項目に優先順位をつけられない。また、メニュー項目を選択するモードに切り替えなければ、メニュー項目を表示できないうえ、ユーザの位置等を記憶することができない。このため、この小型電子機器では、使用される状況によっては、ユーザの選択するメニュー項目が効率的に表示されないことがある。
【０００６】
本発明はこのような実情に鑑みてなされたものであり、使用される状況に関わらずユーザが選択するコンテンツを効率的に表示することができる携帯端末、コンテンツ表示方法及びプログラムを提供することを目的とする。
【課題を解決するための手段】
【０００７】
上記目的を達成するため、本発明の第１の観点に係る携帯端末は、
ユーザの位置情報及び前記ユーザの移動情報を取得する情報取得部と、
前記位置情報及び前記移動情報とユーザが選択すると予想されるコンテンツとが関連づけられたテーブルを記憶する記憶部と、
前記テーブルを参照して、前記情報取得部によって取得された前記位置情報及び前記移動情報に対応するコンテンツを選択するコンテンツ選択部と、
自機が使用状態となったことを検出する使用状態検出部と、
前記使用状態検出部によって自機が使用状態となったことが検出された場合、前記コンテンツ選択部によって選択された前記コンテンツを表示する表示部と、
を備える。
【０００８】
また、本発明の第２の観点に係るコンテンツ表示方法は、
ユーザの位置情報及び前記ユーザの移動情報を取得する情報取得工程と、
前記位置情報及び前記移動情報とユーザが選択すると予想されるコンテンツとが関連づけられたテーブルを記憶するコンテンツ記憶工程と、
前記テーブルを参照して、前記情報取得工程によって取得された前記位置情報及び前記移動情報に対応するコンテンツを選択するコンテンツ選択工程と、
自機が使用状態となったことを検出する使用状態検出工程と、
前記使用状態検出工程によって自機が使用状態となった場合、前記コンテンツ選択工程によって選択された前記コンテンツを表示する表示工程と、
を備える。
【０００９】
また、本発明の第３の観点に係るプログラムは、
コンピュータを、
ユーザの位置情報及び前記ユーザの移動情報を取得する情報取得部、
前記位置情報及び前記移動情報とユーザが選択すると予想されるコンテンツとが関連づけられたテーブルを参照して、前記情報取得部によって取得された前記位置情報及び前記移動情報に対応するコンテンツを選択するコンテンツ選択部、
自機が使用状態となったことを検出する使用状態検出部、
前記使用状態検出部によって自機が使用状態となった場合、前記コンテンツ選択部によって選択された前記コンテンツを表示する表示部、
として機能させる。
【発明の効果】
【００１０】
本発明によれば、携帯端末には、ユーザの位置情報及び移動情報に関連づけて、ユーザが選択すると予想されるコンテンツがあらかじめ記憶されており、携帯端末が使用状態になったことが検出されると、ユーザの現在の位置情報及び移動情報に関連づけられたコンテンツが携帯端末に表示される。このようにすることで、使用される状況に関わらずユーザが選択するコンテンツを効率的に表示することができる。
【図面の簡単な説明】
【００１１】
【図１】本発明の実施形態に係る携帯端末の通信環境を模式的に示すブロック図である。
【図２】図１に示す携帯端末の構成を示すブロック図である。
【図３】位置情報、移動情報及びコンテンツを格納するテーブルの一例を示す図である。
【図４】図１に示す携帯端末の表示画面の一例を示す図である。
【図５】コンテンツの表示処理のフローチャートである。
【図６】携帯端末の利用態様を模式的に示す図である。
【発明を実施するための形態】
【００１２】
本発明の実施形態について、図面を参照して詳細に説明する。
【００１３】
ユーザによって携帯され、使用される携帯端末１は、通話機能、メール送受信機能、Ｗｅｂサイト閲覧機能等の各種機能を備える。
【００１４】
図１に示すように、携帯端末１は基地局２と無線通信が可能である。携帯端末１は基地局２を介して通信ネットワーク３との間でデータの送受信が可能である。また、携帯端末１はＧＰＳ(Global Positioning System）機能を備え、ＧＰＳ衛星４から送信されるデータを受信可能である。
【００１５】
携帯端末１の構成について、図２を参照して説明する。
【００１６】
なお、携帯端末１はＣＰＵ（Central Processing Unit）及びメモリ（いずれも不図示）を備える。ＣＰＵがメモリに格納されたプログラムを実行することにより、携帯端末１は後述の機能を実行する。
【００１７】
携帯端末１は通信インタフェース部１１、情報取得部１２、コンテンツ記憶部１３、コンテンツ選択部１４、使用状態検出部１５、起動部１６及び表示部１７を備える。
【００１８】
通信インタフェース部１１は基地局２及びＧＰＳ衛星４との通信インタフェースである。通信インタフェース部１１は基地局２と移動体通信網（不図示）を介してデータを送受信する。また、通信インタフェース部１１はＧＰＳ衛星４からデータを受信する。
【００１９】
情報取得部１２はユーザの位置情報及びユーザの移動情報を取得する。より詳細には、情報取得部１２は、位置情報として、線路、歩道、道路、バス路線、施設等の具体的な現在地に関する情報（以下、単に「現在地」とする）を取得する。情報取得部１２は、位置座標に基づいて現在地を導出できる地図情報を備え、この地図情報を参照して、基地局２あるいはＧＰＳ衛星４から送信される携帯端末１の位置座標に基づいて現在地を取得する。
【００２０】
また、情報取得部１２はユーザの加速度を取得する加速度センサを備える。情報取得部１２は加速度センサを用いて、ユーザが移動しているか又は停止しているかを移動情報として検出する。
【００２１】
なお、情報取得部１２は所定の時間間隔でユーザの現在地及び移動情報を取得する。所定の時間間隔は、あらかじめ設定されているが、ユーザによって設定されるようにしてもよい。また、情報取得部１２は、次回の現在地及び移動情報を取得する時刻になる前でもユーザによる操作入力を契機として現在地及び移動情報を取得するようにしてもよい。
【００２２】
コンテンツ記憶部１３は現在地及び移動情報とユーザが選択すると予想されるコンテンツとが関連づけられたテーブルを記憶する。
【００２３】
コンテンツは、例えば、地図、天気、ナビゲーション、グルメ情報、乗換案内等の様々なアプリケーション等や、起動するとサーバと通信して、サーバ内のアプリケーション等を起動させるリンクファイル等である。
【００２４】
テーブルはユーザの現在地、移動情報及びコンテンツとから構成される。例えば、図３に示すように、テーブルにはユーザの現在地として「線路（番号１）」、「歩道（番号２）」、「映画館（番号３）」、「空港（番号４）」等が格納される。また、ユーザの移動情報として「移動（番号１及び番号２）」、「停止（番号３及び番号４）」等が格納される。
【００２５】
コンテンツはユーザの現在地及び移動しているか否かという状況でユーザが選択すると予想される順に記憶される。例えば、「線路及び移動」に対して「電車乗換案内、ゲーム、駅の時刻表、沿線のイベント情報（番号１）」が記憶される。また、「歩道及び移動」に対して「地図、ナビゲーション、グルメ情報、天気（番号２）」が記憶される。また、「映画館及び停止」に対して「上映情報、クーポン情報、映画チケット予約、グルメ情報（番号３）」が記憶される。また、「空港及び停止」に対して「航空券購入サイト、空港内情報、天気、お土産検索サイト（番号４）」が記憶される。
【００２６】
なお、テーブルはユーザによって修正、追加等がなされるようにしてもよい。また、更新されたテーブルが通信ネットワーク３を介してサーバから携帯端末１にダウンロードされるようにしてもよい。
【００２７】
コンテンツ選択部１４はテーブルを参照して、情報取得部１２によって取得された現在地及び移動情報に対応するコンテンツを選択する。
【００２８】
例えば、情報取得部１２によって、ユーザの現在地及び移動情報として「線路及び移動」が取得されると、コンテンツ選択部１４はコンテンツ記憶部１３に記憶されたテーブルを参照して、「電車乗換案内、ゲーム、駅の時刻表、沿線のイベント情報」を選択する（図３の番号１参照）。また、「歩道及び移動」が取得されると、コンテンツ選択部１４はコンテンツ記憶部１３に記憶されたテーブルを参照して、「地図、ナビゲーション、グルメ情報、天気」を選択する（図３の番号２参照）。
【００２９】
また、「映画館及び停止」が取得されると、コンテンツ選択部１４はコンテンツ記憶部１３に記憶されたテーブルを参照して、「上映情報、クーポン情報、映画チケット予約、グルメ情報」を選択する（図３の番号３参照）。また、「空港及び停止」が取得されると、コンテンツ選択部１４はコンテンツ記憶部１３に記憶されたテーブルを参照して、航空券購入サイト、空港内情報、天気、お土産検索サイト」を選択する（図３の番号４参照）。
【００３０】
なお、コンテンツ選択部１４はコンテンツを選択するのみでなく、例えば、コンテンツのバージョンアップ、天気情報を提供するアプリケーションのデータ更新、歩数計等の前回使用時のデータの読み出し等、コンテンツの表示に関するあらゆる手段を講じることができる。
【００３１】
使用状態検出部１５は携帯端末１が使用状態となったことを検出する。より具体的には、使用状態検出部１５は、携帯端末１がスリープの状態において、ユーザによってスリープ解除ボタンが押されたことを検出する。なお、携帯端末１が折り畳み型の場合、使用状態検出部１５はユーザによって携帯端末１が開かれたことを検出するようにしてもよい。また、携帯端末１がスライド型の場合、使用状態検出部１５はユーザによって筐体がスライドされ、開かれたことを検出するようにしてもよい。
【００３２】
起動部１６は使用状態検出部１５によって携帯端末１が使用状態となった場合、コンテンツ選択部１４によって選択されたコンテンツを起動する。例えば、コンテンツ選択部１４によって選択されたコンテンツが図３の番号１の「電車乗換案内、ゲーム、駅の時刻表、沿線のイベント情報」の場合、起動部１６は、コンテンツの番号１「電車乗換案内」を起動する。
【００３３】
表示部１７は、例えばＬＣＤ（Liquid Crystal Display）や有機ＥＬ（Electro-Luminescence）ディスプレイ等の表示デバイスで構成される。表示部１７は使用状態検出部１５によって携帯端末１が使用状態となった場合、コンテンツ選択部１４によって選択されたコンテンツ及び起動部１６によって起動されたコンテンツに関する画面を表示する。
【００３４】
図４を参照して、表示部１７によって表示されるコンテンツ及びコンテンツに関する画面を具体的に説明する。図４には、東京駅に向かう電車に乗っているユーザが携帯端末１のスリープ状態を解除した直後の表示画面が示されている。表示画面の上部には、コンテンツ選択部１４によって選択されたコンテンツ「電車乗換案内、ゲーム、駅の時刻表、沿線のイベント情報」の内（図３の番号１参照）、例えば、１番目のコンテンツである「電車乗換案内」の起動時の画面が表示されている。ユーザは入力フォームに駅名、施設名あるいは住所を入力して、「探索」をクリックすることで、東京駅での電車の乗換に関する情報の提供を受けられる。
【００３５】
表示画面の下部には、コンテンツ選択部１４によって選択されたコンテンツの内、２番目以降のコンテンツである「ゲーム」、「駅の時刻表」、「沿線のイベント情報」が表示される。ユーザが電車乗換案内ではなく、ゲームを起動したい場合は、「ゲーム」をクリックすることで、ゲームが起動して、表示画面の上部に表示されている「電車乗換案内」の画面に換えて、「ゲーム」の起動時の画面が表示される。このとき表示画面の下部には、「電車乗換案内」、「駅の時刻表」、「沿線のイベント情報」が表示される。
【００３６】
次に、図５を参照して、携帯端末１によるコンテンツの表示処理のフローについて説明する。
【００３７】
情報取得部１２が携帯端末１を携帯するユーザの現在地及び移動情報を取得する（ステップＳ１）。情報取得部１２は使用状態検出部１５によって携帯端末１が使用状態となったことが検出されるまで、ユーザの現在地及び移動情報を所定の時間間隔で取得する（ステップＳ２；Ｎｏ）。
【００３８】
使用状態検出部１５によって携帯端末１が使用状態となったことが検出されると（ステップＳ２；Ｙｅｓ）、コンテンツ選択部１４はテーブルを参照して、情報取得部１２によって取得された現在地及び移動情報に対応するコンテンツを選択する（ステップＳ３）。
【００３９】
コンテンツ選択部１４によってコンテンツが選択されると、起動部１６は選択されたコンテンツを起動する（ステップＳ４）。
【００４０】
表示部１７はコンテンツ選択部１４によって選択されたコンテンツ及び起動部１６によって起動されたコンテンツに関する画面を表示する（ステップＳ５）。
【００４１】
次に図６を参照しながら、より具体的に携帯端末１によるコンテンツの表示処理について説明する。
【００４２】
図６は、携帯端末１を携帯するユーザ（不図示）が自宅２１を出発して駅２２から電車２３に乗って移動する場合の経路を示している。なお、携帯端末１は折り畳み型で、使用時に開くことで、携帯端末１のスリープ状態が解除されて、ユーザは携帯端末１の表示画面を見ることができるものとする。
【００４３】
ユーザが電車２３で移動中に、情報取得部１２は、現在地「線路」と移動情報「移動」とを取得する（ステップＳ１）。
【００４４】
ユーザが携帯端末１を開くと、携帯端末１が使用状態となったことが検出され（ステップＳ２；Ｙｅｓ）、コンテンツ選択部１４は、テーブル（図３の番号１参照）を参照して、「線路及び移動」に対応する「電車乗換案内、ゲーム、駅の時刻表、沿線のイベント情報」を選択する（ステップＳ３）。
【００４５】
さらに、起動部１６によって選択されたコンテンツの内、「電車乗換案内」が起動される（ステップＳ４）。
【００４６】
携帯端末１の表示画面には、例えば、図４に示すように「電車乗換案内」の起動時の画面及び「ゲーム、駅の時刻表、沿線のイベント情報」の順に並んだコンテンツが表示される（ステップＳ５）。
【００４７】
ユーザは乗換の予定がなかったので、表示されたコンテンツの中から「沿線のイベント情報」を選択する。このコンテンツが起動すると、ユーザはイベント情報をダウンロードして閲覧することができる。ユーザはダウンロードされたイベント情報を見て、駅２４の近くの映画館２５において割引価格で映画の上映が行われていることを知る。そこで、ユーザは駅２４で電車を降りて、映画館２５へ徒歩で向かうことにする。
【００４８】
映画館２５に向かう途中、道に迷ったユーザが歩道を歩行中に携帯端末１を開くと、携帯端末１の表示画面には、「地図」及び「ナビゲーション、グルメ情報、天気」（図３の番号２参照）の順に並んだコンテンツが表示される（図３の番号２参照）。
【００４９】
ユーザは地図を参照することによって映画館２５に到着することができる。
【００５０】
映画館に到着したユーザが映画の上映時間まで少し時間があるためベンチに座る。そこでユーザが携帯端末１を開くと、携帯端末１の表示画面には、「上映情報」の起動時の画面及び「クーポン情報、映画チケット予約、グルメ情報」の順に並んだコンテンツが表示される（図３の番号３参照）。
【００５１】
ユーザはコンテンツの中から「クーポン情報」を選択することで、割引価格で映画を鑑賞するためのクーポン券をダウンロードできる。さらに、ユーザはコンテンツの中から「映画チケット予約」を選択することで、映画のチケットを予約することができる。
【００５２】
以上説明したように、本実施形態によれば、携帯端末１には、ユーザの現在地及び移動情報に関連づけて、ユーザが選択すると予想されるコンテンツがあらかじめ記憶されており、携帯端末１が使用状態になったことが検出されると、ユーザの現在地及び移動情報に関連づけられたコンテンツが携帯端末１に表示される。このようにすることで、使用される状況に関わらずユーザが選択するコンテンツを効率的に表示することができる。
【００５３】
なお、本実施形態によれば、使用状態検出部１５は、携帯端末１のスリープ状態が解除されたことを検出することとした。このようにすることで、ユーザが携帯端末１の使用を開始する動作を確実に検出できる。
【００５４】
また、本実施形態によれば、情報取得部１２は、加速度センサを備えることとした。こうすることで、ユーザが移動しているか否かを検出できる。
【００５５】
また、本実施形態では、情報取得部１２はユーザの位置に関する情報を取得するＧＰＳ機能を備えることとした。こうすることで、携帯端末１はＧＰＳ衛星から送信される高精度な位置に関する情報に基づいて現在地を取得できる。
【００５６】
また、本実施形態では、情報取得部１２は携帯端末１との通信を行う基地局２から送信される位置に関する情報に基づいて、ユーザの現在地を取得することとした。こうすることで、携帯端末１は基地局２から送信される位置に関する情報に基づいて現在地を取得できる。
【００５７】
なお、起動部１６を備えなくてもよい。こうすると、ユーザは表示部１７によって表示されたコンテンツの中からコンテンツを選択することができる。
【００５８】
また、携帯端末１は、ＰＨＳ（Personal Handy-phone System）、ＰＤＡ（Personal Digital Assistant）、ＰＣ（Personal Computer）等であってもよい。
【００５９】
なお、上記実施形態において、実行されるプログラムは、フレキシブルディスク、ＣＤ−ＲＯＭ（Compact Disk Read Only Memory）、ＤＶＤ（Digital Versatile Disk）、ＭＯ（Magneto-Optical Disk）等のコンピュータ読み取り可能な記録媒体に格納して配布し、そのプログラムをインストールすることにより、上述の処理を実行するシステムを構成することとしてもよい。
【００６０】
また、プログラムを通信ネットワーク３上の所定のサーバが有するディスク等に格納しておき、例えば、搬送波に重畳させて、ダウンロード等するようにしてもよい。
【００６１】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【００６２】
なお、本発明は、上記実施形態及び図面によって限定されるものではない。本発明の要旨を変更しない範囲で実施形態及び図面に変更を加えることができるのはもちろんである。
【００６３】
（付記１）ユーザの位置情報及び前記ユーザの移動情報を取得する情報取得部と、
前記位置情報及び前記移動情報とユーザが選択すると予想されるコンテンツとが関連づけられたテーブルを記憶する記憶部と、
前記テーブルを参照して、前記情報取得部によって取得された前記位置情報及び前記移動情報に対応するコンテンツを選択するコンテンツ選択部と、
自機が使用状態となったことを検出する使用状態検出部と、
前記使用状態検出部によって自機が使用状態となったことが検出された場合、前記コンテンツ選択部によって選択された前記コンテンツを表示する表示部と、
を備える携帯端末。
【００６４】
（付記２）前記使用状態検出部によって自機が使用状態となったことが検出された場合、前記コンテンツ選択部によって選択された前記コンテンツを起動する起動部をさらに備え、
前記表示部は、
前記コンテンツに加え、前記起動部によって起動されたコンテンツに関する画面を表示する、
ことを特徴とする付記１に記載の携帯端末。
【００６５】
（付記３）前記使用状態検出部は、
自機のスリープ状態が解除されたことを検出する、
ことを特徴とする付記１又は２に記載の携帯端末。
【００６６】
（付記４）前記情報取得部は、
加速度を取得する加速度センサを備え、
前記加速度センサの出力に基づいてユーザが移動しているか否かを示す情報を取得する、
ことを特徴とする付記１乃至３のいずれかに記載の携帯端末。
【００６７】
（付記５）前記情報取得部は、
前記位置情報を取得するＧＰＳ(Global Positioning System）機能を備え、ＧＰＳ衛星から提供される位置に関する情報に基づいて、前記ユーザの位置情報を取得する、
ことを特徴とする付記１乃至４のいずれかに記載の携帯端末。
【００６８】
（付記６）前記情報取得部は、
自機との通信を行う基地局から送信される位置に関する情報に基づいて、前記ユーザの位置情報を取得する、
ことを特徴とする付記１乃至４のいずれかに記載の携帯端末。
【００６９】
（付記７）ユーザの位置情報及び前記ユーザの移動情報を取得する情報取得工程と、
前記位置情報及び前記移動情報とユーザが選択すると予想されるコンテンツとが関連づけられたテーブルを記憶するコンテンツ記憶工程と、
前記テーブルを参照して、前記情報取得工程によって取得された前記位置情報及び前記移動情報に対応するコンテンツを選択するコンテンツ選択工程と、
自機が使用状態となったことを検出する使用状態検出工程と、
前記使用状態検出工程によって自機が使用状態となった場合、前記コンテンツ選択工程によって選択された前記コンテンツを表示する表示工程と、
を備えるコンテンツ表示方法。
【００７０】
（付記８）コンピュータを、
ユーザの位置情報及び前記ユーザの移動情報を取得する情報取得部、
前記位置情報及び前記移動情報とユーザが選択すると予想されるコンテンツとが関連づけられたテーブルを参照して、前記情報取得部によって取得された前記位置情報及び前記移動情報に対応するコンテンツを選択するコンテンツ選択部、
自機が使用状態となったことを検出する使用状態検出部、
前記使用状態検出部によって自機が使用状態となった場合、前記コンテンツ選択部によって選択された前記コンテンツを表示する表示部、
として機能させるプログラム。
【符号の説明】
【００７１】
１  携帯端末
２  基地局
３  通信ネットワーク
４  ＧＰＳ衛星
１１  通信インタフェース部
１２  情報取得部
１３  コンテンツ記憶部
１４  コンテンツ選択部
１５  使用状態検出部
１６  起動部
１７  表示部
２１  自宅
２２、２４  駅
２３  電車
２５  映画館
【図１】
2012105120.tif 000003
【図２】
2012105120.tif 000004
【図３】
2012105120.tif 000005
【図４】
2012105120.tif 000006
【図５】
2012105120.tif 000007
【図６】
2012105120.tif 000008